(57)【要約】【課題】電気柵用支柱において電線の高さ調節を自由に行なうことができる電線支持器具を提供する。【解決手段】電線支持器具１は、両端に開口部３が形成されていると共に、一端に中心軸線に対して略平行に複数のスリット４が設けられた円筒形状の本体２と、本体２の一端に着脱可能に取付けられると共に、本体２の一端の径よりも小さい径を有するキャップ部材５と、本体２の外側表面に突出形成された突起部材６とを備える。キャップ部材５も、両端が開口した円筒形状を有している。突起部材６は、第１の突起部材６Ａと、第１の突起部材６Ａから離れて配置された第２の突起部材６Ｂで構成されている。【選択図】図１
2013039078.tif 000002
【特許請求の範囲】
【請求項１】
両端に開口部が形成されていると共に、一端に中心軸線に対して略平行にスリットが設けられた円筒形状の本体と、
該本体の前記一端に着脱可能に取付けられると共に、同本体の一端の径よりも小さい径を有するキャップ部材と、
前記本体の外側表面に突出形成された突起部材とを備える
電線支持器具。
【請求項２】
両端に開口部が形成されていると共に、一端に中心軸線に対して略平行にスリットが設けられた円筒形状の本体と、
前記本体の外側表面に前記スリットを挟んで一方側と他方側に突出形成された構成体を有して構成された取付部材と、
該取付部材に着脱可能に取付けられると共に、前記構成体の離間方向における同取付部材の長さより小さい径を有するキャップ部材と、
前記取付部材とは反対方向であると共に、前記本体の長手方向において前記取付部材の位置と異なる位置の前記本体の外側表面に突出形成された突起部材とを備える
電線支持器具。
【請求項３】
前記突起部材は、前記本体の中心軸線と略平行に位置する第１の平板部材及び、該第１の平板部材と前記本体の外側表面とを接続する第１の接続部材を有する、第１の突起部材と、
前記本体の中心軸線と略平行に配置された第２の平板部材及び、該第２の平板部材と前記本体の外側表面とを接続すると共に前記本体の長手方向において前記第１の接続部材の位置と異なる位置に配置された第２の接続部材を有し、さらに前記第１の突起部材から離れて配置された、第２の突起部材とで構成された
請求項１または請求項２に記載の電線支持器具。
【請求項４】
前記第１の平板部材の前記第２の平板部材に向いた内側の縁部とは反対側の外側の縁部に、内側に向けて窪んだ第１の凹部が設けられ、
前記第２の平板部材の前記第１の平板部材に向いた内側の縁部とは反対側の外側の縁部に、内側に向けて窪んだ第２の凹部が設けられた
請求項３に記載の電線支持器具。
【請求項５】
前記第１の突起部材は、前記第１の平板部材の上側の縁部に、前記本体に向けて突出形成されると共に前記本体の長手方向において前記第１の接続部材よりも上方に配置された第１の凸部を有し、
前記第２の突起部材は、前記第２の平板部材の下側の縁部に、前記本体に向けて突出形成されると共に前記本体の長手方向において前記第２の接続部材よりも下方に配置された第２の凸部を有する
請求項３または請求項４に記載の電線支持器具。
【請求項６】
前記本体の他端の外側表面に、前記本体の中心軸線に沿って、突出形成された複数の凸条部材を備える
請求項１〜５のいずれか１つに記載の電線支持器具。
【発明の詳細な説明】
【技術分野】
【０００１】
本発明は電線支持器具に関する。詳しくは、例えば電気柵用支柱に取付けられて、電線を支持する電線支持器具に係るものである。
【背景技術】
【０００２】
山間地域の農村地帯では、鹿や猪などの野生動物が田畑へ侵入することを防止するために、電気柵が多く使用されている。
【０００３】
電気柵は、田畑の周囲に張り巡らせた裸電線に、電源装置内の電圧発生器から発生した電圧が印加され、この裸電線に接触した鹿や猪などの野生動物を、印加された電圧の衝撃によって撃退するための柵である。
【０００４】
また、電気柵の裸電線は、田畑の周囲に打設された支柱に取付けられた碍子に係止されて張設される。
【０００５】
電気柵に用いられる支柱としては様々なものが提案されているが、例えば特許文献１には、図１３に示すような電気柵用支柱が記載されている。即ち、特許文献１に記載の電気柵用支柱は、支柱本体１１０が、ガラス繊維強化樹脂から成る内層と、ポリエチレンなどから成る表層との２層構造となっており、先端部１１４、基端部１１５、フック部１１１、環状凸部１１２及び凸条１１３と共に一体成形されている。
また、フック部１１１は、上方に開放されており、裸電線を係止することができる。
【先行技術文献】
【特許文献】
【０００６】
【特許文献１】特許第４３０３７８０号公報
【発明の概要】
【発明が解決しようとする課題】
【０００７】
しかしながら、特許文献１に記載の支柱は、電線が係止されるフック部が一体成形されており、電線同士の間隔や電線の高さが制限されていた。
【０００８】
本発明は、以上の点に鑑みて創案されたものであり、電気柵用支柱において電線の高さ調節を自由に行なうことができる電線支持器具を提供することを目的とする。
【課題を解決するための手段】
【０００９】
上記の目的を達成するために、本発明の電線支持器具は、両端に開口部が形成されていると共に、一端に中心軸線に対して略平行にスリットが設けられた円筒形状の本体と、該本体の前記一端に着脱可能に取付けられると共に、同本体の一端の径よりも小さい径を有するキャップ部材と、前記本体の外側表面に突出形成された突起部材とを備える。
【００１０】
また、上記の目的を達成するために、本発明の電線支持器具は、両端に開口部が形成されていると共に、一端に中心軸線に対して略平行にスリットが設けられた円筒形状の本体と、前記本体の外側表面に前記スリットを挟んで一方側と他方側に突出形成された構成体を有して構成された取付部材と、該取付部材に着脱可能に取付けられると共に、前記構成体の離間方向における同取付部材の長さより小さい径を有するキャップ部材と、前記取付部材とは反対方向であると共に、前記本体の長手方向において前記取付部材の位置と異なる位置の前記本体の外側表面に突出形成された突起部材とを備える。
【００１１】
ここで、本体は、両端に開口部が形成されており、円筒形状であるので、電気柵用支柱を本体に通すことができる。
【００１２】
また、本体の一端に着脱可能に取付けられると共に、本体の一端の径よりも小さい径を有するキャップ部材によって、本体の一端に中心軸線に対して略平行に設けられたスリットが縮められるので、本体の一端の径が収縮することになり、本体を電気柵用支柱に固定することができる。
【００１３】
また、取付部材に着脱可能に取付けられると共に、構成体の離間方向における取付部材の長さより小さい径を有するキャップ部材によって、構成体の間の距離が縮められると共にスリットも縮められるので、本体の一端の径が収縮することになり、本体を電気柵用支柱に固定することができる。
なお、構成体は、本体の外側表面にスリットを挟んで一方側と他方側に突出形成されているのであれば、一部が一体形成されていてもよい。
【００１４】
また、本発明の電線支持器具において、突起部材は、本体の中心軸線と略平行に位置する第１の平板部材及び、第１の平板部材と本体の外側表面とを接続する第１の接続部材を有する、第１の突起部材と、本体の中心軸線と略平行に配置された第２の平板部材及び、第２の平板部材と本体の外側表面とを接続すると共に本体の長手方向において第１の接続部材の位置と異なる位置に配置された第２の接続部材を有し、さらに第１の突起部材から離れて配置された、第２の突起部材とで構成されたものとすることができる。
【００１５】
この場合、電線を本体の中心軸線と略平行にした状態で、第１の突起部材と第２の突起部材との間に通し、通した後に電線を倒して本体の中心軸線に対して略垂直な状態にするだけで、電線が、本体と、第１の平板部材と、第１の接続部材と、第２の平板部材と、第２の接続部材とに囲まれた状態となり、突起部材に電線を通したような状態となる。
【００１６】
また、本発明の電線支持器具において、第１の平板部材の第２の平板部材に向いた内側の縁部とは反対側の外側の縁部に、内側に向けて窪んだ第１の凹部が設けられ、第２の平板部材の第１の平板部材に向いた内側の縁部とは反対側の外側の縁部に、内側に向けて窪んだ第２の凹部が設けられたものとすることができる。
【００１７】
また、本発明の電線支持器具において、第１の突起部材は、第１の平板部材の上側の縁部に、本体に向けて突出形成されると共に本体の長手方向において第１の接続部材よりも上方に配置された第１の凸部を有し、第２の突起部材は、第２の平板部材の下側の縁部に、本体に向けて突出形成されると共に本体の長手方向において第２の接続部材よりも下方に配置された第２の凸部を有するものとすることができる。
【００１８】
この場合、第１の接続部材や第２の接続部材に電線を巻き付ける方法で、電線を支持するときに、電線を、第１の凸部と第１の接続部材の間や、第２の凸部と第２の接続部材の間に挟んだ状態で巻き付けることができるので、巻き付けた電線が解けにくい。
【００１９】
また、本発明の電線支持器具は、本体の他端の外側表面に、本体の中心軸線に沿って、突出形成された複数の凸条部材を備える場合、凸条部材を指で押して、本体を回転させることができるので、回転させやすい。
【発明の効果】
【００２０】
本発明に係る電線支持器具は、電気柵用支柱において電線の高さ調節を自由に行なうことができる。
【図面の簡単な説明】
【００２１】
【図１】本発明の電線支持器具の第１実施態様を示す概略斜視図である。
【図２】第１実施態様の本発明の電線支持器具の本体の概略底面図である。
【図３】第１実施態様の本発明の電線支持器具の本体の概略側面図である。
【図４】第１実施態様の本発明の電線支持器具の本体を支柱に取付ける状況を説明する概略図である。
【図５】第１実施態様の本発明の電線支持器具のキャップ部材を支柱に取付ける状況を説明する概略図である。
【図６】本発明の電線支持器具を用いた電気柵の一例を示す概略図である。
【図７】本発明の電線支持器具を用いて電線の弛みを直すときの第１の動作を説明する概略図である。
【図８】本発明の電線支持器具を用いて電線の弛みを直すときの第２の動作を説明する概略図である。
【図９】本発明の電線支持器具を用いて電線の弛みを直した状態を示す概略図である。
【図１０】本発明の電線支持器具の第２実施態様を示す概略斜視図である。
【図１１】第２実施態様の本発明の電線支持器具の本体の概略平面図である。
【図１２】第２実施態様の本発明の電線支持器具の本体の概略側面図である。
【図１３】従来の電気柵用支柱を示す概略図である。
【発明を実施するための形態】
【００２２】
以下、本発明の実施の形態について図面を参照しながら説明し、本発明の理解に供する。
図１は、本発明の電線支持器具の第１実施態様を示す概略斜視図である。また、図２は、第１実施態様の本発明の電線支持器具の本体の概略底面図である。また、図３は、第１実施態様の本発明の電線支持器具の本体の概略側面図である。
【００２３】
図１に示すように、第１実施態様の本発明の電線支持器具１は、両端に開口部３が形成されていると共に、一端に中心軸線に対して略平行に複数のスリット４が設けられた円筒形状の本体２を備える。
【００２４】
また、本発明の電線支持器具１は、本体２の一端に着脱可能に取付けられると共に、本体２の一端の径よりも小さい径を有するキャップ部材５を備える。ここで、キャップ部材５も、両端が開口した円筒形状を有している。
【００２５】
また、本発明の電線支持器具１は、本体２の外側表面に突出形成された突起部材６を備える。
【００２６】
また、本体２のスリット４付近の外側表面には、ネジ山１２が設けられている。
また、このネジ山１２に対応するように、キャップ部材５の内側表面には、ネジ溝１３が設けられている。
【００２７】
また、本発明の電線支持器具１は、本体２の他端の外側表面に、本体２の中心軸線に沿って、突出形成された複数の凸条部材１１を備える。
【００２８】
また、突起部材６は、第１の突起部材６Ａと、第１の突起部材６Ａから離れて配置された第２の突起部材６Ｂで構成されている。
【００２９】
ここで、第１の突起部材６Ａは、本体２の中心軸線と略平行に位置する第１の平板部材６１及び、第１の平板部材６１と本体２の外側表面とを接続する第１の接続部材６２を有する。
【００３０】
また、第２の突起部材６Ｂは、本体２の中心軸線と略平行に配置された第２の平板部材６３及び、第２の平板部材６３と本体２の外側表面とを接続すると共に本体２の長手方向において第１の接続部材６２の位置と異なる位置に配置された第２の接続部材６４を有する。
即ち、図３から判るように、第１の接続部材６２の方が、第２の接続部材６４よりも、スリット４が設けられた本体２の一端に近い位置に配置されている。
【００３１】
また、第１の平板部材６１の第２の平板部材６３に向いた内側の縁部とは反対側の外側の縁部に、内側に向けて窪んだ第１の凹部７が設けられている。
また、第２の平板部材６３の第１の平板部材６１に向いた内側の縁部とは反対側の外側の縁部に、内側に向けて窪んだ第２の凹部８が設けられている。
【００３２】
また、第１の突起部材６Ａは、第１の平板部材６１の上側の縁部に、本体２に向けて突出形成されると共に本体２の長手方向において第１の接続部材６２よりも上方に配置された第１の凸部９を有する。
【００３３】
また、第２の突起部材６Ｂは、第２の平板部材６３の下側の縁部に、本体２に向けて突出形成されると共に本体２の長手方向において第２の接続部材６４よりも下方に配置された第２の凸部１０を有する。
【００３４】
ここで、上下の位置を記載しているが、これは、本発明の電線支持器具を電気柵用支柱に取付けた時の位置関係を意味する。
【００３５】
ここで、本発明の電線支持器具が、両端に開口部が形成されていると共に、一端に中心軸線に対して略平行にスリットが設けられた円筒形状の本体と、本体の一端に着脱可能に取付けられると共に、本体の一端の径よりも小さい径を有するキャップ部材と、本体の外側表面に突出形成された突起部材とを備えるのであれば、必ずしも突起部材は、前述のような第１の突起部材と、前述のような第２の突起部材で構成されていなくてもよい。
【００３６】
また、本発明の電線支持器具が、両端に開口部が形成されていると共に、一端に中心軸線に対して略平行にスリットが設けられた円筒形状の本体と、本体の一端に着脱可能に取付けられると共に、本体の一端の径よりも小さい径を有するキャップ部材と、本体の外側表面に突出形成された突起部材とを備えるのであれば、必ずしも本体の他端の外側表面に、本体の中心軸線に沿って、突出形成された複数の凸条部材を備えていなくてもよい。
【００３７】
しかし、本発明の電線支持器具が、本体の他端の外側表面に、本体の中心軸線に沿って、突出形成された複数の凸条部材を備えていれば、凸条部材を指で押して、本体を回転させることができるので、回転させやすく、好ましい。
【００３８】
図４は、第１実施態様の本発明の電線支持器具の本体を支柱に取付ける状況を説明する概略図である。また、図５は、第１実施態様の本発明の電線支持器具のキャップ部材を支柱に取付ける状況を説明する概略図である。
【００３９】
本発明の電線支持器具の本体２は、両端に開口部が形成された円筒形状を有するので、図４に示すように、本体２に電気柵用支柱１５を挿入する。
【００４０】
次に、キャップ部材５も、両端が開口した円筒形状を有しているので、図５に示すように、キャップ部材５に電気柵用支柱１５を挿入する。
【００４１】
そして、キャップ部材５を回転させながら、本体２の外側表面に設けられたネジ山と、キャップ部材５の内側表面に設けられたネジ溝とを係合させて、キャップ部材５を本体２の一端に取付ける。
このとき、キャップ部材５は、本体２の一端の径よりも小さい径を有するので、本体２の一端の径を収縮させて、本体２を電気柵用支柱１５に固定することができる。
【００４２】
図６は、本発明の電線支持器具を用いた電気柵の一例を示す概略図である。
図６に示すように、１つの電気柵用支柱１５に、複数の本発明の電線支持器具１が取付けられており、複数の電線支持器具１それぞれは、電線１６を支持している。
【００４３】
また、電気柵の電線１６は、時間の経過と共に弛んでくる場合があるが、その場合は、次のようにして弛みを直す。
【００４４】
図７は、本発明の電線支持器具を用いて電線の弛みを直すときの第１の動作を説明する概略図である。また、図８は、本発明の電線支持器具を用いて電線の弛みを直すときの第２の動作を説明する概略図である。また、図９は、本発明の電線支持器具を用いて電線の弛みを直した状態を示す概略図である。
【００４５】
図７に示すように、キャップ部材５を、取付け時とは反対方向に回転させて、本体２の外側表面に設けられたネジ山と、キャップ部材５の内側表面に設けられたネジ溝との係合を緩める。
【００４６】
すると、収縮していた本体２の一端は拡がり、本体２は中心軸線を中心にして、即ち、電気柵用支柱１５を中心にして回転できるようになる。
【００４７】
そして、図８に示すように、本体２を回転させることにより、図９に示すように、電線１６が、本体２や、第１の突起部材６Ａや、第２の突起部材６Ｂに巻き付けられ、電線１６の弛みが直る。
弛みが直った後は、再び、キャップ部材５を本体２の一端に取付ける。
【００４８】
図１０は、本発明の電線支持器具の第２実施態様を示す概略斜視図である。また、図１１は、第２実施態様の本発明の電線支持器具の本体の概略平面図である。また、図１２は、第２実施態様の本発明の電線支持器具の本体の概略側面図である。
【００４９】
図１０に示すように、第２実施態様の本発明の電線支持器具１は、両端に開口部３が形成されていると共に、一端に中心軸線に対して略平行にスリット４が設けられた円筒形状の本体２を備える。
【００５０】
また、図１１から判るように、本発明の電線支持器具１は、本体２の外側表面にスリット４を挟んで一方側と他方側に突出形成された２つの離間した構成体（第１の構成体１４Ａと第２の構成体１４Ｂ）で構成された取付部材１４を備える。
【００５１】
このような構成により、第１の構成体１４Ａと第２の構成体１４Ｂの間の距離が縮められると共にスリット４も周方向に縮められるので、本体２の径が収縮することになり、本体２を電気柵用支柱に固定することができる。
【００５２】
また、本発明の電線支持器具１は、取付部材１４に着脱可能に取付けられると共に、構成体（第１の構成体１４Ａと第２の構成体１４Ｂ）の離間方向における取付部材の長さより小さい径を有するキャップ部材５を備える。ここで、キャップ部材５には、取付部材１４が挿入される貫通孔が設けられている。
【００５３】
また、本発明の電線支持器具１は、取付部材１４とは反対方向であると共に、本体２の長手方向において取付部材１４の位置と異なる位置の本体２の外側表面に突出形成された突起部材６を備える。
【００５４】
また、取付部材（第１の構成体１４Ａと第２の構成体１４Ｂ）１４の外側表面には、ネジ山１２が設けられている。
また、このネジ山１２に対応するように、キャップ部材５の内側表面には、ネジ溝が設けられている。
【００５５】
また、突起部材６は、第１の突起部材６Ａと、第１の突起部材６Ａから離れて配置された第２の突起部材６Ｂで構成されている。
【００５６】
ここで、第１の突起部材６Ａは、本体２の中心軸線と略平行に位置する第１の平板部材６１及び、第１の平板部材６１と本体２の外側表面とを接続する第１の接続部材６２を有する。
【００５７】
また、第２の突起部材６Ｂは、本体２の中心軸線と略平行に配置された第２の平板部材６３及び、第２の平板部材６３と本体２の外側表面とを接続すると共に本体２の長手方向において第１の接続部材６２の位置と異なる位置に配置された第２の接続部材６４を有する。
【００５８】
また、図１２から判るように、突起部材６の位置は、本体２の長手方向において取付部材１４の位置とは異なる位置に配置されている。
即ち、突起部材６が上側に配置されており、取付部材１４が下側に配置されている。
【００５９】
また、第１の平板部材６１の第２の平板部材６３に向いた内側の縁部とは反対側の外側の縁部に、内側に向けて窪んだ第１の凹部７が設けられている。
また、第２の平板部材６３の第１の平板部材６１に向いた内側の縁部とは反対側の外側の縁部に、内側に向けて窪んだ第２の凹部（図示せず。）が設けられている。
【００６０】
また、第１の突起部材６Ａは、第１の平板部材６１の上側の縁部に、本体２に向けて突出形成されると共に本体２の長手方向において第１の接続部材６２よりも上方に配置された第１の凸部９を有する。
【００６１】
また、第２の突起部材６Ｂは、第２の平板部材６３の下側の縁部に、本体２に向けて突出形成されると共に本体２の長手方向において第２の接続部材６４よりも下方に配置された第２の凸部１０を有する。
【００６２】
ここで、上下の位置を記載しているが、これは、本発明の電線支持器具を電気柵用支柱に取付けた時の位置関係を意味する。
【００６３】
また、第２実施態様の本発明の電線支持器具も、第１実施態様の本発明の電線支持器具と同様に、本体に電気柵用支柱を挿入して、キャップ部材で固定することで、電線支持器具を電気柵用支柱に取付けることができるが、第１実施態様とは異なり、キャップ部材に電気柵用支柱を挿入する必要はなく、電線支持器具の取付部材にキャップ部材を取付けるだけでよい。
【００６４】
以上のように、本発明の電線支持器具は、両端に開口部が形成されていると共に、一端に中心軸線に対して略平行にスリットが設けられた円筒形状の本体を備えているので、電気柵用支柱を本体に通すことができる。
また、本発明の電線支持器具は、キャップ部材によって、本体の一端の径を収縮させて、本体を電気柵用支柱に固定することができる。
【００６５】
従って、本発明の電線支持器具は、電気柵用支柱に沿って本体を移動させ、所望の位置でキャップ部材によって固定できるので、電気柵用支柱において電線の高さ調節を自由に行なうことができる。
【符号の説明】
【００６６】
１    電線支持器具
２    本体
３    開口部
４    スリット
５    キャップ部材
６    突起部材
６Ａ  第１の突起部材
６Ｂ  第２の突起部材
７    第１の凹部
８    第２の凹部
９    第１の凸部
１０    第２の凸部
１１    凸条部材
１２    ネジ山
１３    ネジ溝
１４    取付部材
１４Ａ  第１の構成体
１４Ｂ  第２の構成体
１５    電気柵用支柱
１６    電線
６１    第１の平板部材
６２    第１の接続部材
６３    第２の平板部材
６４    第２の接続部材
【図１】
2013039078.tif 000003
【図２】
2013039078.tif 000004
【図３】
2013039078.tif 000005
【図４】
2013039078.tif 000006
【図５】
2013039078.tif 000007
【図６】
2013039078.tif 000008
【図７】
2013039078.tif 000009
【図８】
2013039078.tif 000010
【図９】
2013039078.tif 000011
【図１０】
2013039078.tif 000012
【図１１】
2013039078.tif 000013
【図１２】
2013039078.tif 000014
【図１３】
2013039078.tif 000015
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
両端に開口部が形成されていると共に、一端に中心軸線に対して略平行にスリットが設けられた円筒形状の本体と、
該本体の前記一端に着脱可能に取付けられると共に、同本体の一端の径よりも小さい径を有するキャップ部材と、
前記本体の外側表面に突出形成された突起部材とを備え、
該突起部材は、前記本体の中心軸線と略平行に位置する第１の平板部材及び、該第１の平板部材と前記本体の外側表面とを接続する第１の接続部材を有する、第１の突起部材と、
前記本体の中心軸線と略平行に配置された第２の平板部材及び、該第２の平板部材と前記本体の外側表面とを接続すると共に前記本体の長手方向において前記第１の接続部材の位置と異なる位置に配置された第２の接続部材を有し、さらに前記第１の突起部材から離れて配置された、第２の突起部材とで構成された
電線支持器具。
【請求項２】
両端に開口部が形成されていると共に、一端に中心軸線に対して略平行にスリットが設けられた円筒形状の本体と、
前記本体の外側表面に前記スリットを挟んで一方側と他方側に突出形成された構成体を有して構成された取付部材と、
該取付部材に着脱可能に取付けられると共に、前記構成体の離間方向における同取付部材の長さより小さい径を有するキャップ部材と、
前記取付部材とは反対方向であると共に、前記本体の長手方向において前記取付部材の位置と異なる位置の前記本体の外側表面に突出形成された突起部材とを備え、
該突起部材は、前記本体の中心軸線と略平行に位置する第１の平板部材及び、該第１の平板部材と前記本体の外側表面とを接続する第１の接続部材を有する、第１の突起部材と、
前記本体の中心軸線と略平行に配置された第２の平板部材及び、該第２の平板部材と前記本体の外側表面とを接続すると共に前記本体の長手方向において前記第１の接続部材の位置と異なる位置に配置された第２の接続部材を有し、さらに前記第１の突起部材から離れて配置された、第２の突起部材とで構成された
電線支持器具。
【請求項３】
前記第１の平板部材の前記第２の平板部材に向いた内側の縁部とは反対側の外側の縁部に、内側に向けて窪んだ第１の凹部が設けられ、
前記第２の平板部材の前記第１の平板部材に向いた内側の縁部とは反対側の外側の縁部に、内側に向けて窪んだ第２の凹部が設けられた
請求項１または請求項２に記載の電線支持器具。
【請求項４】
前記第１の突起部材は、前記第１の平板部材の上側の縁部に、前記本体に向けて突出形成されると共に前記本体の長手方向において前記第１の接続部材よりも上方に配置された第１の凸部を有し、
前記第２の突起部材は、前記第２の平板部材の下側の縁部に、前記本体に向けて突出形成されると共に前記本体の長手方向において前記第２の接続部材よりも下方に配置された第２の凸部を有する
請求項１〜３のいずれか１つに記載の電線支持器具。
【請求項５】
前記本体の他端の外側表面に、前記本体の中心軸線に沿って、突出形成された複数の凸条部材を備える
請求項１〜４のいずれか１つに記載の電線支持器具。